(57)【要約】【課題】フルカラー原稿を読み取る際に、原稿読み取り用キャリッジを複数回スキャンさせる場合のミスコピーを未然に防ぐことができる画像形成装置を提供する。【解決手段】１枚のフルカラー原稿を読み取るために原稿読み取り用キャリッジを複数回スキャンさせる画像形成装置において、フルカラー原稿読み取り中に原稿固定用の圧板２が開けられた場合、その読み取り動作を中止する機能を有する。例えばフルカラー原稿の読み取り動作中に圧板開閉センサ３の出力が変化したとき、その読み取り動作を中止する。【選択図】　　　　図１
2004037856.tif 000002
【特許請求の範囲】
【請求項１】
１枚のフルカラー原稿を読み取るために原稿読み取り用キャリッジを複数回スキャンさせる画像形成装置において、フルカラー原稿読み取り中動作に原稿固定用の圧板が開けられた場合、その読み取り動作を中止する機能を有することを特徴とする画像形成装置。
【請求項２】
請求項１記載の画像形成装置において、フルカラー原稿の読み取り動作中に圧板開閉センサの出力が変化したとき、その読み取り動作を中止することを特徴とする画像形成装置。
【請求項３】
請求項１記載の画像形成装置において、フルカラー原稿の読み取り動作中に原稿サイズ検知センサの出力が変化したとき、その読み取り動作を中止することを特徴とする画像形成装置。
【請求項４】
請求項１記載の画像形成装置において、フルカラー原稿の読み取り動作中、圧板の開放をロックするロック機構を設けたことを特徴とする画像形成装置。
【発明の詳細な説明】
【０００１】
【発明の属する技術分野】
本発明は、フルカラー原稿を読み取ることが可能であり、一枚の原稿を読み取るために原稿（画像）読み取り用キャリッジを複数回スキャンさせる方式の画像形成装置に関し、特に、ミスコピー防止技術に関するものである。
【０００２】
【従来の技術】
一般に、フルカラー複写機で画像形成するためには、ＲＧＢではなく、ＹＭＣで画像データを扱う必要がある。ところが、画像読み取り部では、原稿を光で読み取る構成のため、読み取った時点では画像データはＲＧＢデータとなっており、そのデータをＹＭＣデータに変換しなくてはならない。画像データは膨大な量となるため、一回の読み取り動作でＲＧＢデータを読み取り、ＹＭＣデータに変換させると、多大なコストアップとなってしまう。
【０００３】
そのため、従来の画像形成装置は、特開平９−１３０５９８号公報や、特開平１０−１５５０７６号公報に記載されているように、同一原稿を複数回スキャンし、ＲＧＢの各色を順番に読み取る構成となっている。
【０００４】
【発明が解決しようとする課題】
しかしながら、ユーザが上記構成であることを知らず、１回スキャンで読み取りが終了すると考えて、２回目のスキャン動作が始まる前に原稿を取り除いてしまうと、正確な画情報を読み取ることができずに、ミスコピーとなってしまうことになる。
【０００５】
そこで、本発明は、フルカラー原稿を読み取る際に、原稿読み取り用キャリッジを複数回スキャンさせる場合のミスコピーを未然に防ぐことができる画像形成装置を提供することを目的とする。
【０００６】
【課題を解決するための手段】
上記目的を達成するために、請求項１記載の発明は、１枚のフルカラー原稿を読み取るために原稿読み取り用キャリッジを複数回スキャンさせる画像形成装置において、フルカラー原稿読み取り中に原稿固定用の圧板が開けられた場合、その読み取り動作を中止する機能を有する画像形成装置を最も主要な特徴とする。
【０００７】
請求項２記載の発明は、請求項１記載の画像形成装置において、フルカラー原稿の読み取り動作中に圧板開閉センサの出力が変化したとき、その読み取り動作を中止する画像形成装置を主要な特徴とする。
【０００８】
請求項３記載の発明は、請求項１記載の画像形成装置において、フルカラー原稿の読み取り動作中に原稿サイズ検知センサの出力が変化したとき、その読み取り動作を中止する画像形成装置を主要な特徴とする。
【０００９】
請求項４記載の発明は、請求項１記載の画像形成装置において、フルカラー原稿の読み取り動作中、圧板の開放をロックするロック機構を設けた画像形成装置を主要な特徴とする。
【００１０】
【発明の実施の形態】
以下、図面により本発明の実施の形態を詳細に説明する。本発明の画像形成装置は、フルカラー原稿を読み取ることが可能であり、一枚の原稿を読み取るために原稿（画像）読み取り用キャリッジを複数回スキャンさせる方式のものが前提となる。
【００１１】
図１は本発明の第１の実施の形態に係る画像形成装置の外観図である。原稿読み取り部１の上方に原稿固定用圧板２が搭載される。また圧板２の取り付け基部（軸支部）の内側に圧板開閉センサ３を設けている。この圧板開閉センサ３は、フォトインタラプタや、プッシュスイッチ、マイクロスイッチ等により簡単に構成することができる。
【００１２】
図２は図１に示す画像形成装置の制御フローチャートである。画像形成装置は、コピースタートボタンが押されると、コピーをスタートさせ、原稿読み取りをスタートさせる。
【００１３】
この時、圧板開閉センサ３をモニタしておき、２回目のスキャン開始前に圧板２が開けられたことを検知した場合（Ｓ１、Ｓ２でＹ）、それ以後の読み取り制御を中止する（Ｓ３）。
【００１４】
圧板２が開けられなければ、２回目のスキャンに移行する（Ｓ４）。これを全てのスキャン動作が終了するまで繰り返す（Ｓ５〜Ｓ８）。これにより、ユーザが誤って、スキャン動作の途中で圧板２を開けてしまっても、スキャン動作が中止されるため、画像形成動作も行われずミスコピーを防ぐことができる。
【００１５】
図３は本発明の第２の実施の形態に係る画像形成装置の外観図である。一般的に原稿読み取り部１の内部には、載せられた原稿のサイズを検知するための原稿サイズ検知センサ４が搭載されている。一般的には、この原稿サイズ検知センサ４には反射型フォトセンサが使用される。通常は、この原稿サイズ検知センサ４は、一度原稿サイズを検知した以降、次の原稿がセットされるまでその機能を果たさない。
【００１６】
図４は図３に示す画像形成装置の制御フローチャートである。まず、セットされた原稿のサイズを原稿サイズ検知センサ４にて検知する。原稿サイズを判別後に、１回目のスキャンが開始される（Ｓ１）。それと同時に、再度原稿サイズ検知センサ４をモニタしておく。
【００１７】
原稿サイズ検知センサ４の検知信号が変化した場合は（Ｓ２でＹ）、原稿が取り除かれたり、移動してしまったと判断し、原稿読み取り動作を中止する（Ｓ３）。原稿サイズ検知センサ４の検知信号に変化がない場合は、２回目のスキャン動作に移行する（Ｓ４）。この動作を原稿読み取り動作終了まで繰り返す（Ｓ５〜Ｓ８）。
【００１８】
こうすることにより、ユーザが誤って、スキャン動作途中で原稿を取り除いてしまったり、移動させてしまった場合にもスキャン動作が中止するため、画像形成動作も行われず、ミスコピーを防ぐことができる。
【００１９】
図５は本発明の第３の実施の形態に係る画像形成装置において、圧板をロックした状態を示す図、図６は同じく圧板のロックを解除した状態を示す図である。
【００２０】
装置本体には、支点６を中心に回動可能な圧板固定用の爪５を設ける。爪５は圧板２の係止ピン７と係止して圧板２の開放をロックする。爪５は、支点６を挟んでそれぞれバネ８とソレノイド９に連結されている。
【００２１】
バネ８は、爪５を常に反時計回り方向、即ち係止ピン７から外れる方向に付勢している。またソレノイド９は、オン状態でバネ８の引っ張り力に抗して爪５を時計回り方向、即ち係止ピン７と係止する方向に付勢している。
【００２２】
図５はソレノイド９がオン状態であり、爪５が係止ピン７に係止した、圧板２のロック状態を示し、また図６はソレノイド９がオフ状態であり、爪５が係止ピン７から外れ、圧板２を開放できる状態を示している。爪５、係止ピン７、バネ８、ソレノイド９により請求範囲に記載したロック機構が構成される。
【００２３】
なお、バネ８とソレノイド９の位置関係を逆にすれば、ソレノイド９のオン、オフで圧板２のロック、ロック解除は逆になる。
【００２４】
図７は図５、図６に示す画像形成装置の制御フローチャートである。まず、画像形成装置は、圧板２が開いているか閉じているかを図１に示す圧板開閉センサ３の出力により判断する（Ｓ１）。この時、閉じていることを検知すると、ソレノイド９をオンさせる。この動作により圧板固定用部材としての爪５が圧板２の係止ピン７に掛かり、その結果、圧板２は開けることができなくなる（Ｓ２）。
【００２５】
この状態で、スキャン動作を開始する（Ｓ３）。全てのスキャン動作が終了し（Ｓ４）、原稿読み取り動作が終了すると、ソレノイド９をオフする。これにより圧板２に掛かっていた爪５が外れ、圧板２を開くことができるようになる（Ｓ５）。
【００２６】
以上の動作を行うことにより、ユーザは、読み取り動作が終了するまで圧板２を開けることができなくなる。従って、読み取り動作中に誤って原稿を取り除くといったアクシデントを無くすことができ、ミスコピーを防ぐことができる。
【００２７】
【発明の効果】
以上説明したように、請求項１記載の発明によれば、１枚のフルカラー原稿を読み取るために原稿読み取り用キャリッジを複数回スキャンさせる画像形成装置において、フルカラー原稿読み取り中に原稿固定用の圧板が開けられた場合、その読み取り動作を中止する機能を有することにより、ミスコピーを未然に防ぐことができる。
【００２８】
請求項２記載の発明によれば、フルカラー原稿の読み取り動作中に圧板開閉センサの出力が変化したとき、その読み取り動作を中止することにより、ミスコピーを未然に防ぐことができる。
【００２９】
請求項３記載の発明によれば、フルカラー原稿の読み取り動作中に原稿サイズ検知センサの出力が変化したとき、その読み取り動作を中止することにより、ミスコピーを未然に防ぐことができる。
【００３０】
請求項４記載の発明によれば、フルカラー原稿の読み取り動作中、圧板の開放をロックするロック機構を設けたことにより、ミスコピーを未然に防ぐことができる。
【図面の簡単な説明】
【図１】本発明の第１の実施の形態に係る画像形成装置の外観図である。
【図２】図１に示す画像形成装置の制御フローチャートである。
【図３】本発明の第２の実施の形態に係る画像形成装置の外観図である。
【図４】図３に示す画像形成装置の制御フローチャートである。
【図５】本発明の第３の実施の形態に係る画像形成装置において、圧板をロックした状態を示す図である。
【図６】同じく圧板のロックを解除した状態を示す図である。
【図７】図５、図６に示す画像形成装置の制御フローチャートである。
【符号の説明】
１　原稿読み取り部
２　原稿固定用圧板
３　圧板開閉センサ
【図１】
2004037856.tif 000003
【図２】
2004037856.tif 000004
【図３】
2004037856.tif 000005
【図４】
2004037856.tif 000006
【図５】
2004037856.tif 000007
【図６】
2004037856.tif 000008
【図７】
2004037856.tif 000009